Podtech/llm-jp-corpus-v4-ja_patent huggingface dataset:
(57)【要約】【課題】化学肥料や農薬に頼ることなく植物を生育させることのできる肥料、およびその製造方法を提供すること。【解決手段】牛舎、豚舎、鶏舎から出た畜糞から堆肥を作る際、結露など影響で発生した排汁（れき汁）を酵母菌および植物性乳酸菌で発酵させ、液状の肥料を得る。その際、排汁には、アロエの缶詰や袋詰めからアロエを取り出した後、不要になったアロエシロップなどの糖蜜を糖分として添加しておく。また、排汁には、骨粉、藁、籾殻、樹皮などを添加しておいてもよい。【選択図】なし【特許請求の範囲】
【請求項１】
堆肥を作る際に排出される排汁を酵母菌および植物性乳酸菌により発酵させてなることを特徴とする肥料。
【請求項２】
堆肥を作る際に排出される排汁に少なくとも酵母菌および植物性乳酸菌を添加して発酵させることを特徴とする肥料の製造方法。
【請求項３】
前記排汁に糖分を添加しておくことを特徴とする請求項２に記載の肥料の製造方法。
【請求項４】
前記排汁に骨粉を添加しておくことを特徴とする請求項２または３に記載の肥料の製造方法。
【発明の詳細な説明】
【技術分野】
【０００１】
本発明は肥料およびその製造方法に関するものである。
【背景技術】
【０００２】
庭木、芝生、草花、野菜などの植物を生育させるにあたっては化学肥料や農薬が使用されているが、化学肥料だけに頼っていると土が痩せてしまい、植物は土から栄養分を吸い上げることができなくなる。また、植物の種類ごとに専用の肥料や農薬を揃えておくと多大な費用が発生する。一方、自然素材を原料とした肥料として、廃糖蜜や米糠を発酵させた肥料が提案されている（特許文献１、２参照）。
【特許文献１】特開２００３−９５７７３号公報
【特許文献２】特開２００１−２３８６６４号公報
【発明の開示】
【発明が解決しようとする課題】
【０００３】
しかしながら、廃糖蜜や米糠を発酵させた肥料では、植物の生育に必要な成分が十分、含まれておらず、また、病気や害虫の増殖を抑えることができないという問題点がある。
【０００４】
以上の問題点に鑑みて、本発明の課題は、化学肥料や農薬に頼ることなく植物を生育させることのできる肥料、およびその製造方法を提供することにある。
【課題を解決するための手段】
【０００５】
上記課題を解決するために、本発明に係る肥料は、堆肥を作る際に排出される排汁（いわゆる、れき汁）を酵母菌および植物性乳酸菌により発酵させてなることを特徴とする。
【０００６】
かかる肥料を製造するにあたっては、堆肥を作る際に排出される排汁に少なくとも酵母菌および植物性乳酸菌を添加して発酵させることを特徴とする。
【０００７】
本発明においては、前記排汁に糖分を添加しておくことが好ましい。このように構成すると、植物性乳酸菌を好適に増殖させることができる。
【０００８】
本発明においては、前記排汁に骨粉を添加しておくことが好ましい。このように構成すると、ミネラルを十分に含んだ肥料を得ることができる。
【発明の効果】
【０００９】
本発明では、堆肥の排汁を酵母菌および植物性乳酸菌により発酵させてなるため、窒素、リン酸、カリウムからなる三大要素に加えて、各種ミネラルを含み、さらに、植物性乳酸菌も含む。このため、植物性乳酸菌の働きによって、土壌に好影響を及ぼす善玉の微生物や菌類を活性化させる一方、病気や害虫などの増殖を抑えるので、化学肥料や農薬に頼ることなく植物を生育させることができる。
【発明を実施するための最良の形態】
【００１０】
本発明では、牛舎、豚舎、鶏舎から出た畜糞から堆肥を作る際、結露などにより発生した排汁（れき汁）を回収し、この排汁を利用して無臭の液体肥料を製造する。すなわち、堆肥を作る際に出た排汁に少なくとも酵母菌および植物性乳酸菌を添加し、必要に応じて暴気しながら半年から１年かけて発酵させる。その結果、排汁が有していた臭いが消失した液状物を得ることができ、かかる液状物を肥料として用いる。
【００１１】
ここで、排汁には、アロエの缶詰や袋詰めからアロエを取り出した後、不要になったアロエシロップなどの糖蜜を糖分として添加しておく。また、排汁には、骨粉を添加しておくことが好ましく、このように構成すると、ミネラルを十分に含んだ肥料を得ることができる。さらに、排汁には、藁、籾殻や樹皮などを添加しておいてもよい。
【００１２】
かかる方法で製造した肥料は、窒素、リン酸、カリウムからなる三大要素に加えて、亜鉛、銅、カルシウムなどの各種ミネラルを含む。
【００１３】
また、本発明に係る肥料は、肥料１ｇ当たり、５００万個から１５００万個の酵母菌、例えば、約９８０万個の酵母を含むとともに、１０００万個から５０００万個の植物性乳酸菌、例えば約３６００万個の植物性乳酸菌を含む。植物性乳酸菌は、漬物、みそ、しょうゆなど、野菜や豆、米や麦などを発酵させる乳酸菌であり、ラクトバチルス・プランタラム、ラクトバチルス・ブレビス、ラクトバチルス・ハロフィルス、ラクトバチルス・ペントサセウス等を挙げる事ができる。かかる植物性乳酸菌は、ブドウ糖、果糖、麦芽糖など、種々の糖を分解する性質を有しており、塩分や酸度が高い環境下や、低温環境下でも生き抜く力を備えている。従って、排汁にアロエシロップなどの糖蜜を添加しておけば、植物性乳酸菌を好適に増殖させることができるとともに、アロエに含まれていたゲルマニウムが肥料に配合されることになる。
【００１４】
酵母菌の例としては、サッカロマイセス・セリビジェー、サッカロマイセス・バストリアヌス、サッカロマイセス・インタメヂウス、サッカロマイセス・バリドウス等のサッカロマイセス酵母類を挙げることができる。
【００１５】
本発明に係る肥料を、例えば、１０〜５０倍に薄め、１平方当たり、２リットルを散布し、あるいは、５００倍に薄めたものを植物の葉に直接、散布すると、土壌や植物に好影響を及ぼす善玉の微生物や菌類を活性化させる一方、病気や害虫などの増殖を抑えることができた。従って、例えば、通常なら休眠して茶色になる時期であっても、芝生は青々とした状態となる。それ故、本発明に係る肥料を用いれば、化学肥料や農薬に頼ることなく植物を生育させることができる。また、農薬を併用する場合でも、農薬の使用量が極めて少量で済む。
【００１６】
また、従来であれば、処理に多大な費用がかかっていた堆肥の排汁を有効利用できる。しかも、本発明に係る肥料では、乳酸菌が水分の多い嫌気性状態で働く一方、酵母は堆肥成分や糞尿成分が多い状態で働くため、排汁の臭いを確実に消失させることができるので、使い勝手が極めてよい。
【００１７】
さらに、本発明に係る肥料は、自然素材を用いた環境保全型の肥料であるため、人や家畜にも無害である。
(57)【要約】      （修正有）【課題】いつでもどこでも簡単にイワナの骨酒ができる容器を提供する。【解決手段】紙コップを２個重ね内側の紙コップＡの底面に複数個穴Ｄを開けた。外側のコップＢと内側のコップＡの間（底面）に材料であるイワナパックＣを入れてある。熱燗を注げば手軽に骨酒ができる。使用するイワナパックは、あらかじめイワナの塩焼きをあら挽きにし冷風乾燥した物をティーパックにいれ熱シールした物である。旅先で手軽にイワナの骨酒を作って飲むことが出来、又、土産物として、イワナの付加価値を上げることができる。【選択図】図１
2009007024.tif 000002
【特許請求の範囲】
【請求項１】
紙コップを２個重ね、内側の紙コップの底面に穴を数個開ける。外側の紙コップと内側の穴の開いた紙コップの間にイワナの骨酒の元を入れ簡単にイワナの骨酒が出来る容器。
【発明の詳細な説明】
【技術分野】
【０００１】
本発明は、いつでもどこでも簡単にイワナの骨酒が簡単に出来る、容器である。
【背景技術】
【０００２】
これまでは、旅先で名物のイワナの骨酒を飲もうとすると、イワナ、日本酒、器などを
用意しなくてはならず、手間がかかるため飲めなかった。
【特許文献１】特願平９−２５４１４号公報
【発明の開示】
【発明が解決しようとする課題】
【０００３】
骨酒をいかに、手軽に観光客に提供するべきか。
【０００４】
イワナの骨酒の風味をいかに簡単に引き出すか。
【課題を解決するための手段】
【０００５】
本発明品は紙コップを２個重ね内側の紙コップの底面に複数個穴を開けた。外側のコップと内側のコップの間（底面）に材料であるイワナを入れて、熱燗を注げば手軽に骨酒ができる。ここで使用するイワナであるが、あらかじめイワナの塩焼きをあら挽きにし冷風乾燥した物をティーパックにいれ熱シールした物を入れる。（これ以後はイワナパック）と言う、今回の場合イワナを入れるが、イワナの代わりに、コーヒー、紅茶、緑茶などを入れることが出来る。
【発明の効果】
【０００６】
イワナの骨酒を使用することによって。手軽に、旅先で骨酒が楽しむことが出来る。又紙コップに印字、イラストを入れることで土産物としての販売が可能である。
【０００７】
２個の紙コップの内側コップの底面に穴を開けることによって、お酒を注ぐ場合最初に少量の熱燗を注ぎ内側の紙コップAのF部分を持ち上下にスライドさせることによって、より早くイワナの旨み成分が出る、その後熱燗を継ぎ足す。
【発明を実施するための最良の形態】
【０００８】
２個の紙コップの内側コップ紙コップAを上下させると紙コップBのとの隙間から熱燗がこぼれ落ちることがある為紙コップAの飲み口の一部を斜めに切り取ることでこぼれを防ぐことが出来る。
【０００９】
２個の紙コップの内側コップの底面に穴を開けコップAとコップBの間にイワナパックがある為、骨酒を飲む時紙コップを傾げても、口元にイワナのティーパックが来ることが無く飲みやすい。又、紙コップを２重にすることで熱燗を入れても。熱さを半減させる効果もあり。強度も増す。
以下、本発明の実施形態を図面に基づいて説明する。
【００１０】
図１の紙コップBの中にイワナパックを入れる。
【００１１】
図１の紙コップの底面に穴を開けた上コップを紙コップBの中に重ねいれる。
【００１２】
最初に少量の熱燗を入れ紙コップAのF部分をもちを上下させCのイワナパックの旨み成分を熱燗に移らせる、その後、熱燗を再び注ぎ入れイワナの骨酒の出来上がりとする。
【００１３】
図１のEは紙コップに印字あるいはロゴを入れ賞味期間、製造者、原材料の表示を行うことが出来る。
【図面の簡単な説明】
【００１４】
【図１】イワナの骨酒容器の説明図。
【符号の説明】
【００１５】
図１のAは紙コップ。
図１のBは紙コップ。
図１のCはイワナパック。
図１のDは紙コップAの底面の穴。
図１のEは商品名及びロゴ。
図１のFは紙コップAを上下する時のもち手。
【図１】
2009007024.tif 000003
(57)【要約】【課題】キャップが挿入し易い容器。【解決手段】容器口部の雄ねじ部の谷径寸法（ｂ）と、容器口部のキャップ挿入部の外径寸法（ｃ）との差（ｄ）を、半径で０．１〜０．４ｍｍに構成したことを特徴とする容器。【選択図】   図３
2009007033.tif 000002
【特許請求の範囲】
【請求項１】
容器口部の雄ねじ部の谷径寸法（ｂ）と、容器口部のキャップ挿入部の外径寸法（ｃ）との差（ｄ）を、半径で０．１〜０．４ｍｍに構成したことを特徴とする容器。
【請求項２】
前記容器が、チューブ容器又はボトル容器であることを特徴とする請求項１記載の容器。
【発明の詳細な説明】
【技術分野】
【０００１】
本発明は、容器のキャッピング時に、キャップが挿入し易く、不適切なキャップの螺合を防止した容器に関する。
【背景技術】
【０００２】
従来、チューブ容器又はボトル容器等の容器口部の雄ねじには、キャップの雌ねじが螺合され、容器口部が閉鎖されている。図４及び図５は、従来のチューブ容器又はボトル容器等の容器を示す図面であり、容器５０の口部５１には雄ねじ５２が形成されている。一方キャップ５６の内周面には、雌ねじ５７が形成されている。従来の容器５０のキャップ挿入部５３と、口部５１の雄ねじ５２の寸法差を以下の実施例に示す。例えば従来、容器５０の雄ねじ５２の山径Ｘが１４．０ｍｍ、谷径Ｙが１２．９６ｍｍ、キャップ挿入部５３の外径Ｚが１２．０ｍｍ
である容器２０がある場合、山径Ｘと谷径Ｙの寸法差Ｗは半径で、０．５２ｍｍであり、したがって、雄ねじ５２の谷部５４の谷径Ｙと、キャップ挿入部５３の外径Ｚの寸法差Ｔは、半径で０．４８ｍｍである。よって、従来の図５に示す実施例に係る容器の場合、Ｔは０．５ｍｍ±０．０２ｍｍの範囲、すなわち０．４８ｍｍ〜０．５２ｍｍの範囲にあることになり、寸法Ｔは極めて大きい。
【０００３】
このように寸法Ｔを大きくする主な理由として、雄ねじ５２の成形の際に、ねじ切り用の転造駒が、キャップ挿入部５３の外縁に接触し、キャップ挿入部５３に傷がつくのを防止するため、谷径Ｙとキャップ挿入部５３の外径Ｚの寸法Ｔをできるだけ大きくする必要がある。しかし、この寸法Ｔが大きい場合、図４に示すように、キャップ５６の螺合時に、キャップ５６の雌ねじ５７の山部及び谷部が、雄ねじ５２の山部と谷部に、スムーズに係合しないため、図４に示すように、キャップ５６がどちらかに、傾いてキャップ挿入部５３に挿入されるという問題があった。そして、特にキャッピングを急いでいる場合、不適切な螺合になるという問題があった。従来の口部とキャップの螺合形態のチューブ容器として、例えば、特許文献１がある（特許文献１参照）。
【特許文献１】実開昭６１−８０２４０号
【発明の開示】
【発明が解決しようとする課題】
【０００４】
この発明は、このような従来の課題に着目してなされたものであり、ねじ切り用の転造駒が、キャップ挿入部に接触せず、かつ容器のキャッピング時に、キャップが挿入し易く、不適切なキャップの螺合を防止した、適切な寸法の容器を提供することを目的とする。
【課題を解決するための手段】
【０００５】
この課題を解決するため、請求項１記載の発明の解決手段は、容器口部の雄ねじ部の谷径寸法（ｂ）と、容器口部のキャップ挿入部の外径寸法（ｃ）との差（ｄ）を、半径で０．１〜０．４ｍｍに構成したことを特徴とする容器である。
雄ねじの谷部と、キャップ挿入部の外径の寸法差を０．１ｍｍ以上、０．４ｍｍ以下に構成することで、キャップが頗る挿入し易く、不適切なキャップの螺合を防止できる。
【０００６】
請求項２記載の発明の解決手段は、容器が、チューブ容器又はボトル容器であることを特徴とする容器である。
【発明の効果】
【０００７】
本発明によれば、キャップ挿入部の外径と、雄ねじの谷部の谷径との寸法差が小さいので、容器のキャッピング時に、キャップが挿入し易く、
キャップが左右のどちらかに傾いて、キャップ挿入部に挿入されるのを防止でき、不適切なキャップの螺合を防止できる効果を有する。
【発明を実施するための最良の形態】
【０００８】
本発明の実施例を、図面に基づいて説明する。
【実施例１】
【０００９】
図１及び図３は、本発明の実施例１を示す図面である。図１において、１はチューブ容器であり、チューブ容器１の口部２には、雄ねじ３が形成され、この雄ねじ３の上部には、キャップ挿入部４が形成されている。一方キャップ７の内周面には、雌ねじ８が形成されている。図３において、雄ねじ３の山部６の山径をａ、雄ねじ３の谷部５の谷径をｂ、キャップ挿入部４の外径をｃで表わすと共に、容器１のキャップ挿入部４の外径ｃと、雄ねじ３の谷部５の谷径ｂとの寸法差を、半径でｄで表わすと、実施例１は、ｄが０．１ｍｍ以上、０．４ｍｍ以下の範囲で構成されており、好ましくは０．２〜０．３ｍｍに構成されている。
【００１０】
そして、本発明の実施例１の具体的寸法として、例えば、雄ねじ３の山部６の山径ａが１４．０ｍｍ、谷部５の谷径ｂが１２．９６ｍｍ，キャップ挿入部４の外径ｃが１２．５６ｍｍであり、ｅが０．５２ｍｍである。この実施例１の容器１の場合、キャップ挿入部４の外径ｃと、雄ねじ３の谷部５の谷径ｂとの寸法ｄは、半径で０．２ｍｍであり寸法ｄは、従来に比べて小さい。
【実施例２】
【００１１】
図２は、本発明の実施例２を示す図面である。図２において、１１はボトル容器である。口部１２におけるキャップ挿入部１４の外径、雄ねじ１３の山部における山径、雄ねじ１３の谷部における谷径は、実施例１と同様に形成されている。
【産業上の利用可能性】
【００１２】
本発明に係る容器の口部先端と雄ねじの構造は、チューブ容器のみならず、ボトル容器にも適用できる。そして、容器のキャッピング時に、キャップが挿入し易いので、キャッピングを急いでいる時、特に子供、老人等であっても、キャップが口部の雄ねじにスムーズにかかり、キャッピングが容易である。したがって、不適切な螺合を防止できる。本発明は、チューブ容器、ボトル容器のねじ部に適用でき、医薬品、食品、化粧品等を収納する日用品の容器として広く適し、多岐にわたって利用することができる。
【図面の簡単な説明】
【００１３】
【図１】本発明に係る実施例１を示す一部切欠断面図。
【図２】本発明に係る実施例２を示す一部切欠断面図。
【図３】本発明に係る実施例１又は２の口部に、キャップを螺合した場合  における、ねじ部の各寸法を示す拡大断面図。
【図４】従来の口部の実施例を示す断面図。
【図５】従来の容器の口部に、キャップを螺合した場合において、ねじ部の各寸法を示す拡大断面図。
【符号の説明】
【００１４】
１  １１  容器
２  １２  口部
３  １３  雄ねじ
４  １４  キャップ挿入部
５  谷部
６  山部
７  １７  キャップ
８  雌ねじ
【図１】
2009007033.tif 000003
【図２】
2009007033.tif 000004
【図３】
2009007033.tif 000005
【図４】
2009007033.tif 000006
【図５】
2009007033.tif 000007
(57)【要約】【課題】    片手のみで使用出来、運搬や収納に簡便なディスペンサーを提供する事。【解決手段】    ヘッド部（４）を親指の腹で押さえる一方、ヘッド部（４）の両サイドに設けられた親指以外の指の背の部分で押さえる部位（１）及び（１’）を残りの指の背部分で同時に押し下げる事により、片手で液状内容物を出す事を特徴とする。【選択図】図１
2009007063.tif 000002
【特許請求の範囲】
【請求項１】
液状内容物容器本体（２）に入ってある液状内容物を出すのに必要なストローク（６）がヘッド部（４）を押し下げる動作により、液状内容物が液状内容通過パイプ形状部（３）、ヘッド部（４）、液状内容物出口（５）を通過し、手のひらに出て受け止めるディスペンサーにおいて、片方の手の親指の腹をヘッド部（４）の上面に乗せると共に、指の腹側を上向きにした中指と薬指又は人差し指と中指とでヘッド部（４）を挟み込むと同時に、親指以外の指の背の部分で押さえる部位（１）及び（１’）にそれぞれ置き、該中指と薬指又は人差し指と中指のそれぞれの指の背の部分で、該親指以外の指の背の部分で押さえる部位（１）及び（１’）と、親指の腹でヘッド部（４）の上面とを同時に押し下げる事により、液状内容物を出すのに必要なストローク（６）を押し下げ、片手の動作のみで液状内容物を出す事を特徴とする片手用ディスペンサー（７）。
【発明の詳細な説明】
【技術分野】
【０００１】  本発明は片手で操作出来る片手用ディスペンサーに関するものである。
【背景技術】
【０００２】  従来のシャンプー等の液状物を出すディスペンサーは、片手の手のひらでヘッド部を押さえ、もう片方の手のひらでシャンプーを受け止めるという両手での動作から成り立っている。【０００３】  また実用新案登録第３１２４９７４号のように、液状内容物通過パイプ形状部の途中に予め設けられた親指以外の指の背の部分で押さえる板状物が形成されたものがある。
【発明の開示】
【発明が解決しようとする課題】
【０００４】  しかしながら、両手で動作させるディスペンサーは片方の手がシャワーを握りしめていたり、子供やペットを抱っこしていたり、また美容院の洗髪で片方が使用していたりする場合等、片手でシャンプーを出す事は出来なかった。また実用新案登録第３１２４９７４号のようにパイプの途中に押し下げる板状物が設けられているものは、厚みを持つ板状物を設けたり、ヘッド部と板状物の間に指を入れる高さが必要となるため、ストロークが長くなり、更には見た目、製造時の複雑さ、運搬時の収納性等に欠けていて不便なものであった。
【課題を解決するための手段】
【０００５】  上記課題を解決するために本発明は、液状内容物容器本体（２）に入ってある液状内容物を出すのに必要なストローク（６）がヘッド部（４）を押し下げる動作により、液状内容物が液状内容通過パイプ形状部（３）、ヘッド部（４）、液状内容物出口（５）を通過し、手のひらに出て受け止めるディスペンサーにおいて、片方の手の親指の腹をヘッド部（４）の上面に乗せると共に、指の腹側を上向きにした中指と薬指又は人差し指と中指とでヘッド部（４）を挟み込むと同時に、親指以外の指の背の部分で押さえる部位（１）及び（１’）にそれぞれ置き、該中指と薬指又は人差し指と中指のそれぞれの指の背の部分で、該親指以外の指の背の部分で押さえる部位（１）及び（１’）と、親指の腹でヘッド部（４）の上面とを同時に押し下げる事により、液状内容物を出すのに必要なストローク（６）を押し下げ、片手の動作のみで液状内容物を出すようにしておく。
本発明は以上のような構成からなる片手用ディスペンサーである。
【発明の効果】
【０００６】    本発明の片手用ディスペンサーは、以上のような構成であるため、片方の手が塞がっていても、もう片方の手の親指の腹部分でヘッド部の上面を押さえると共に、ヘッド部の両サイドに設けられた親指以外の指の背の部分で押さえる部位があるため、ここを残りの指の背の部分で押さえて、片手の動作だけで液状内容物を出す事の出来る優れたものとなる。
【発明を実施するための最良の形態】
【０００７】  本発明における片手用ディスペンサーの形状、大きさ、構造、材質、製造方法等は特に限定される事はない。又ヘッド部の形状や指の背の部分で押さえる部位の大きさ、厚み、長さや形状等も限定される事はないが、運搬時にコンパクトに収納出来、内容物がこぼれない様にヘッド部の裏側が、ネジになって、ディスペンサー本体にネジ式でストロークが最小になるように構成されているのが望ましい。
ヘッド部の上面に親指の腹部分の滑り止めとしてローレット状のギザギザを設けても良い。
【実施例】
【０００８】  以下、本発明の一実施例を、図１及び図２で説明するが、これによって本発明は限定されるものではない。【０００９】  図１は本発明の一例を斜視方向から見たものである。
図２は図１のものを、左手で使用している状態を示しており、ヘッド部（４）を親指の腹で押さえる一方、指の腹側を上向きにした中指と薬指とでヘッド部（４）を挟み込むと同時に、親指以外の指の背の部分で押さえる部位（１）及び（１’）にそれぞれ置き、該中指と薬指のそれぞれの指の背の部分で、該親指以外の指の背の部分で押さえる部位（１）及び（１’）を同時に押し下げる事により、液状内容物を出すのに必要なストローク（６）を押し下げ、片手の動作のみで液状内容物を出している。
【産業上の利用の可能性】
【００１０】  シャンプー等のディスペンサーを片手のみで使用出来、運搬や収納の簡便な使いやすいものとする。
【図面の簡単な説明】
【００１１】  図１は、本発明の一実施例を示す斜視図である。
図２は、本発明の一実施例を示す斜視図である。
【符号の説明】
１  １‘  親指以外の指の背の部分で押さえる部位    ２  液状内容物容器本体
３  液状内容物通過パイプ形状部    ４  ヘッド部    ５  液状内容物出口
６  液状内容物を出すのに必要なストローク    ７  片手用ディスペンサー
【図１】
2009007063.tif 000003
【図２】
2009007063.tif 000004
(57)【要約】【課題】法面崩壊や地滑り等に関する調査に一般的に用いられている方法として伸縮計の設置があるが、設置の方向やその方法の決定、或いはデータの取得や解析には相当の専門性が要求される。また、正確なデータを得るための常時の監視及び予測には非常な努力が重ねられているところである。さらに得られたデータは平面的且つ直線的で立体的な解析には調査ボーリング等、別の方法を必要とする。【解決手段】木の根に近い部分にＡＥセンサーを設置し、根が受けるストレスにより発生するＡＥ、根が切断されることにより発生するＡＥを観測、アンプにより増幅してＡＥ解析装置により解析し、法面崩壊の時期、規模等を予測する。植物の根は地下に縦横に分布しており、そのＡＥ発生の位置を知ることにより、伸縮装置、調査ボーリングに依るよりも正確に地下のデータを取得することが出来る。【選択図】図１
2009007914.tif 000002
【特許請求の範囲】
【請求項１】
法面、傾斜地及び平地に生息している植物を対象としてＡＥ（アコースティックエミッション）センサーを取り付け、その根にかかるストレス及び根の破断が原因で発せられるＡＥを捉え、捉えたＡＥを解析することで法面、傾斜地及び平地が崩壊する可能性や時期、規模を予測する事を特徴とする法面等崩壊予測方法。
【請求項２】
法面、傾斜地及び平地に生息している植物を対象としてＡＥセンサーを取り付け、その根にかかるストレス及び根の破断が原因で発せられるＡＥを捉え、捉えたＡＥを解析することで法面、傾斜地及び平地が崩壊する可能性や時期、規模を予測する事を特徴とする法面等崩壊予測装置。
【発明の詳細な説明】
【技術分野】
【０００１】本発明は法面、傾斜地及び平地に生息する植物が発するＡＥを観測、それを解析することにより、法面崩壊や地滑り、平地の変化等を予測しようとする全く新しい技術分野である。
【背景技術】
【０００２】現在法面崩壊、地滑り等の予測に関しては、伸縮計の設置が一般的であるが、その機器の設置の方法から、微妙な変化に対応できない部分があったり、センサーである歪み計の能力に限界があったりする。
また、非常に専門的な知識を必要とする。
この変化を安価に継続的に簡易に知る方法が望まれているところである。
【発明の開示】
【発明が解決しようとする課題】
【０００４】法面崩壊や地滑り等に関する調査、予測の方法に一般的に用いられているものとして伸縮計の設置があるが、設置の方向やその方法の決定、或いはデータの取得や解析には相当の専門性が要求される。また、正確なデータを得るための常時の監視及び予測には非常な努力が重ねられているところである。
さらに得られたデータは平面的且つ直線的で立体的な解析には調査ボーリング等、別の方法を必要とする。
【課題を解決するための手段】
【０００５】本発明は植物が大地から受けるストレスに反応して発するＡＥを観測、解析し、かつ、直接の大地の活動による根の切断音を観測、解析することにより、法面崩壊、地滑り等の可能性や時期、規模等の予測を行うものである。
植物は自然に生えているものであるから、新たに現場に設置するのはＡＥセンサー、アンプ、ＡＥ解析装置、データ伝送装置で構成されるシステムとなる。【０００６】本発明の特徴の一つは植物を利用するところにある。植物の根は地下にあって縦横に広がっており、法面崩壊や地滑り等の前兆現象である微細な変化により、根が受けるストレスが原因で発せられるＡＥを観測することで法面崩壊や地滑り、平地の崩壊等の可能性を知ることが出来る。また根の一部が切断されることにより発生するＡＥは、切断される根の部位によってその周波数及び総エネルギー量に変化が生じる。法面崩壊や地滑り、平地の崩壊等の時期及び規模の予測解析はこの根が切れる位置及び総エネルギー量を知ることにより行う。根が切断された位置を知ることで法面崩壊や地滑り、平地崩壊等の規模を解析、総エネルギー量を知ることで崩壊までの時間を予測するものである。
そのため伸縮計を取り付ける位置の調査の必要が無くなり、時間と費用の削減が計れる。【０００７】前述したＡＥを解析することによる法面崩壊や地滑り、平地崩壊等の規模の予測解析は、根が切断される位置を知ることにより行われるものであるから調査ボーリングの必要が無く、調査ボーリングに依るより更に正確にその規模を知ることが出来、また崩壊土量の推定もより正確に行うことが出来るものである。【０００８】植物は大地の変化をその体全体で感じ、変化をストレスとして捉え、ＡＥとして外部に発する。
本発明の特徴の一つは植物の発するＡＥを捉え解析することにある。植物が感じる日々の変化をＡＥとして捉え、蓄積したデータから、逆にＡＥの発生の特徴を照らして大地の変化の予測をおこなう事が出来る。これにより今までは根拠のない言い伝えといわれてきた生物を利用した大地の変化の予測に科学的根拠を与え、常時の監視も可能にするものである。
【発明の効果】
【０００９】本発明による観測機器の主要部分はＡＥセンサー、アンプ、ＡＥ解析装置、データ伝送装置に代表される。このため１現場あたりの費用対効果が有利となる。【００１０】植物の根は縦横に分布するため伸縮計のように線的、表面的なデータ取得でなく、面的、立体的なデータを取得できる。【００１１】また植物の生態の変化を現場の変化に代表させるため、災害となる変化直前までの微妙な変化をかなり前から知ることが出来、災害に対する対策が立てやすくなる。もって災害の被害を最小限に食い止めることを可能とする。
【図面の簡単な説明】
【００１２】
【図１】本発明に係る全体の概略図である。
【図２】本発明に係る地滑り等の検出装置の概略図である。
【図１】
2009007914.tif 000003
【図２】
2009007914.tif 000004
(57)【要約】【課題】  錠前が施錠されているのか、開錠されているのか、鍵を見て分かるようにするための、錠前の状態記録具を提供する。【解決手段】  鍵に表示板を取り付けたカバーを被せ、錠前に表示板を切り替える凸部を設け、鍵を回すことにより、鍵の表示板が、施錠もしくは開錠のどちらか操作した方向の表示に切り替わることを特徴とする錠前の状態記録具。【選択図】図１
2009007911.tif 000002
【特許請求の範囲】
【請求項１】
鍵に表示板を取り付けたカバーを被せ、錠前に表示板を切り替える凸部を設け、鍵を回すことにより、鍵の表示板が、施錠もしくは開錠のどちらか操作した方向の表示に切り替わることを特徴とする錠前の状態記録具。
【発明の詳細な説明】
【技術分野】
【０００１】  本発明は、錠前が施錠されているのか、開錠されているのか、鍵を見て分かるようにするための、錠前の状態記録具に関するものである。
【背景技術】
【０００２】  従来は、鍵を見ても、出かける際に錠前を施錠したのか、開錠したままなのか、分からなかった。
【発明の開示】
【発明が解決しようとする課題】
【０００３】  そのために、次のような問題点があった。
（イ）施錠したにもかかわらず、出かけてから錠前を施錠したのか不安になり、錠前の状態を確認しに、一旦家に戻らなければならないことがあった。
（ロ）錠前を施錠せずに出かけてしまい、施錠しなかったことに気が付かずに、空き巣に入られてしまうことがあった。
本発明は、以上の問題点を解決しようとするものである。
【課題を解決するための手段】
【０００４】  鍵に表示板を取り付けたカバーを被せる。錠前に表示板を切り替える凸部を設ける。鍵を回すことにより、鍵の表示板が、施錠もしくは開錠のどちらか操作した方向の表示に切り替わる。
以上を特徴とする錠前の状態記録具である。
【発明の効果】
【０００５】  本発明は、錠前を施錠すると、鍵の表示板も錠施が表示された方向に切り替わる。また、錠前を開錠すると、鍵の表示板も開錠が表示された方向に切り替わる。したがって、出かけてから錠前を施錠したのか不安になっても、鍵の表示板を見れば、施錠したのか分かるため、一旦家に戻る必要がなくなる。
また、錠前を施錠せずに出かけても、鍵を見れば、施錠していないことが分かるため、施錠しに家に戻ることができる。
【発明を実施するための最良の形態】
【０００６】  以下、本発明の実施の形態について説明する。
（イ）鍵（１）の把手部（２）に装着するカバー（３）において、表面に筒体（４）を設け、筒体（４）の正面中央の両端に突起部（５）を設ける。
（ロ）枠体（６）の一部を開口し、両端を挟持部（８）とする。
（ハ）枠体（６）の内部に表示板（７）を固定する。
（ニ）表示板（７）の表面、裏面に、施錠もしくは開錠の表示を行う。
（ホ）枠体（６）の挟持部（８）を筒体（３）の両端に装着する。
（ヘ）枠体（６）は筒体（４）を支点にして自在に回転するように装着される。
（ト）枠体（６）は筒体（４）の突起部（５）を境に、施錠もしくは開錠が表示された側に保持される。
（チ）中央に穴（１２）を設けたドーナッツ板（１０）に対向するように凸部（１１）を設ける。
（リ）ドーナッツ板（１０）は錠前（９）の表面に粘着剤で取り付ける。
本発明は、以上のような構造で、これを使用するときは、図７のように鍵（１）を錠前（９）に差し込み、施錠もしくは開錠の操作を行う。
施錠操作を行った場合、枠体（６）はドーナッツ板（１０）の凸部（１１）に押され、枠体（６）が広がりながら回っていき、筒体（４）の突起部（５）を越えた時点で、図８のように表示板（７）に施錠が表示された側に切り替わり、保持される。この状態は、図９のように鍵（１）を錠前（９）から抜くために戻しても、施錠が表示された側に保持されている。同様に、開錠の操作を行った場合も、表示板（７）に開錠が表示された側に切り替わり保持される。
【図面の簡単な説明】
【０００７】
【図１】本発明の斜視図
【図２】本発明の分解斜視図
【図３】カバー、枠体の分解斜視図
【図４】カバーの正面図
【図５】カバーのＡ−Ａ’断面図
【図６】（イ）枠体の正面図、（ロ）枠体の側面図、（ハ）枠体の背面図
【図７】本発明の鍵を錠前に差し込んだ状態の使用状態を示す斜視図
【図８】本発明の鍵を施錠側に回した状態を示す斜視図
【図９】本発明の鍵を抜く位置に戻した状態を示す斜視図
【符号の説明】
【０００８】      １  鍵
２  把手部
３  カバー
４  筒体
５  突起部
６  枠体
７  表示板
８  挟持部
９  錠前
１０  ドーナッツ板
１１  凸部
１２  穴
【図１】
2009007911.tif 000003
【図２】
2009007911.tif 000004
【図３】
2009007911.tif 000005
【図４】
2009007911.tif 000006
【図５】
2009007911.tif 000007
【図６】
2009007911.tif 000008
【図７】
2009007911.tif 000009
【図８】
2009007911.tif 000010
【図９】
2009007911.tif 000011
(57)【要約】【課題】装着したまま就寝した時、異物感を覚えず、安眠出来、かつ、離床直後の転倒による腰部骨折を予防するヒッププロテクタ−の開発を課題とする。【解決手段】空気の流れが、エアリザ−バ−１からエアクッション４へは迅速に、その逆方向は遅くなるように部分的逆止弁２を両者の間に介在させることにより課題は解決される。【選択図】図１
2009174102.tif 000002
【特許請求の範囲】
【請求項１】
小流量流路と、逆止弁を備えた大流量流路とを並列に接続した部分的逆止弁
【請求項２】
エアリザ−バ−とエアクッションとが請求項１記載の部分的逆止弁を介して連結されたヒッププロテクタ−
【発明の詳細な説明】
【技術の分野】
【０００１】本発明は転倒時における腰部の骨折を予防する為に、エアクッションを用いて衝撃を減弱させる技術に関するものである。
【背景技術】
【０００２】従来のヒッププロテクタ−には転倒時の衝撃吸収材としてウレタン等を利用したものは存在する
【発明の開示】
【発明が解決しようとする課題】
【０００３】しかし従来のプロテクタ−では、プロテクタ−を装着したまま横になると腰部とベッド等の寝具との間にウレタン等の衝撃吸収材が介在する事になり、これが異物感を与え安眠が妨げられた。また、これを嫌い装着せずに横になると、離床直後の転倒には無防備であり、骨折に至る危険性が有った。そこで、本発明は安眠を妨げる事無くプロテクタ−を装着したまま寝る事が出来、かつ、離床直後の転倒にも備える事が出来るようにする事を課題とする。
【課題を解決するための手段】
【０００４】請求項２に記載のヒッププロテクタ−は、離床時、体重により加えられていたエアクッション部への圧力が解除されると、請求項２に記載の部分的逆止弁の逆止弁が開き、大流量流路小流量流路の双方を通り瞬時に空気がエアリザ−バ−からエアクッションに送られ、転倒に備える。転倒時にエアクッション内の圧が高まるが、請求項１記載の大流量流路の逆止弁は閉鎖され小流量流路のみ開存した状態となる。小流量流路を通って空気はエアリザ−バ−に圧排されるが、流速が遅いためその間に充分衝撃は吸収される。また、エアクッションに空気が在る状態で横になっても、まったく同じように自分の体重で空気は徐々にではあるがエアリザ−バ−に移行するので、腰部に異物感を与えない。
【発明の効果】
【０００５】従って、本発明はヒッププロテクタ−を装着のまま安眠出来、かつ、離床直後の転倒による腰部骨折を防止出来る。
【発明を実施するための最良の形態】
【０００６】この発明の一実施形態を、図１に示す。
エアリザ−バ−とエアクッションが請求項１に記載の部分的逆止弁を介してチュ−ブで接続されたエアクッションヒッププロテクタ−である。  エアリザ−バ−からエアクッションへの空気の流速は早く、エアクッションからエアリザ−バ−への流速は遅くなっている。
【図面の簡単な説明】
【０００７】
【図１】  この発明の一実施形態を示す斜視図である。
【図２】  請求項１に記載の部分的逆止弁の縦断面図である。
【符号の説明】
１  エアリザ−バ−
２  請求項２記載の部分的逆止弁
３  チュ−ブ
４  エアクッション
５  大流量流路
６  小流量流路
７  逆止弁
【図１】
2009174102.tif 000003
【図２】
2009174102.tif 000004
(57)【要約】 【課題】   雨水利用などの一般的な形は、雨水排水を一旦別のタンクなどに溜め、それをポンプなどでくみ上げる方法である。そのため全ての雨水を溜めるためには、全て雨樋の近くにタンクを設置する必要があった。また、１カ所のタンク水を集める場合でも、それを移送するためには、何らかの容器に一旦水を溜める必要があった。 【解決手段】   そこで、排水管の途中に簡単に取り付けできるインラインポンプを考案した。排水管の一部を切り取り、そこにこのポンプをセットし、電源を接続するだけで降雨時に水が流れると、センサーでそれを検知し、自動的にポンプが起動する仕組みになっている。出口には逆至弁を取り付け、少量の水でも送水できる仕組みである。また雨水に含まれるゴミなどはポンプ入口部に設置した金網で、取り除く様になっている。ポンプの故障などの場合でも、水はオーバーフローするだけで問題は起きない。 【選択図】  図１
2009174129.tif 000002
【特許請求の範囲】
【請求項１】
排水管などの途中に取り付け、センサーで水を検知して自動的に水を移送するインラインポンプ 
【発明の詳細な説明】
【技術分野】
【０００１】
本発明は雨水や雑排水などの配水管の途中に取り付け、再利用のためのタンクなどに移送するためのポンプに関するものである。 
【背景技術】
【０００２】
近年、異常気象などの頻発で砂漠化などが進み、雨水や家庭排水などを再利用する機運が高まっている。そのための水の移送手段として排水ポンプや潜水ポンプなどの利用も進んでいるが、それらを利用するためには一旦別のタンクに溜める必要があった。
【発明の開示】
【発明が解決しようとする課題】
【０００３】
雨水利用などの一般的な形は、雨水排水を一旦別のタンクなどに溜め、それをポンプなどでくみ上げる方法である。そのため全ての雨水を溜めるためには、全て雨樋の近くにタンクを設置する必要があった。また、１カ所のタンク水を集める場合でも、それを移送するためには、何らかの容器に一旦水を溜める必要があった。 
【課題を解決するための手段】
【０００４】
そこで、排水管の途中に簡単に取り付けできるインラインポンプを考案した。排水管の一部を切り取り、そこにこのポンプをセットし、電源を接続するだけで降雨時に水が流れると、センサーでそれを検知し、自動的にポンプが起動する仕組みになっている。出口には逆至弁を取り付け、少量の水でも送水できる仕組みである。また雨水に含まれるゴミなどはポンプ入口部に設置した金網で、取り除く様になっている。ポンプの故障などの場合でも、水はオーバーフローするだけで問題は起きない。
【発明の効果】
【０００５】
一般家庭の屋根の場合、最低でも４箇所以上の雨樋があるが、そのうちの便利な場所にタンクを設置し、他の全ての場所から雨水を集めることができるようになった。また、カーポートや任意の場所でも雨樋さえあれば、水の移送ができるようになった。水を溜めるタンクなどが不要で取り付けが簡単なので、既存の建物にも簡単に設置することができる。
また、中水利用のための排水の移送などにも応用できる。
【産業上の利用可能性】
【０００６】
ますます温暖化などが進み、節水や排水の二次利用はますます重要になっていくと思われるので、簡単に排水利用ができる本装置の利用可能性は非常に高いと思われる。
【図面の簡単な説明】
【０００７】
【図１】全体の構成図である。
【符号の説明】
【０００８】
１）排水管上部への接続カップリング
２）ゴミよけ用スクリーン
３）ポンプの羽根
４）送水口
５）ポンプ用モーター
６）排水管下部への接続カップリング
【図１】
2009174129.tif 000003
(57)【要約】【課題】メンテナンスが容易で清潔感を与えることが可能な男性小便用便器を提供することである。【解決手段】少なくとも前面側に本体開口１０を有する箱状に形成され、その箱状内の本体空間１２の底面１２Ａに放尿された尿及び洗浄液を排水可能な排水口１４が設けられた男性小便用便器において、男性用便器の底面部に利用者の立ち位置まで突出する突出部１６が形成され、利用者の放尿時に突出部１６に垂れた尿の少なくとも一部が排水口１４に誘導されるよう構成され、突出部１６は、本体空間１２に連通する突出部突出部空間２０を有する箱状に形成され、上面の少なくとも利用者の尿が垂れる可能性がある領域が突出部空間２０に連通する網状２４に形成されている。【選択図】図１
2009174149.tif 000002
【特許請求の範囲】
【請求項１】
少なくとも前面側に開口を有する箱状に形成され、その箱状内の本体空間の底面に放尿された尿及び洗浄液を排水可能な排水口が設けられた男性小便用便器において、
該男性用便器の底面部に利用者の立ち位置まで突出する突出部が形成され、
前記利用者の放尿時に前記突出部に垂れた尿の少なくとも一部が前記排水口に誘導されるよう構成されていることを特徴とする男性小便用便器。
【請求項２】
前記突出部は、前記本体空間に連通する突出部空間を有する箱状に形成されていることを特徴とする請求項１記載の男性小便用便器。
【請求項３】
前記突出部は、上面の少なくとも利用者の尿が垂れる可能性がある領域が前記突出部空間に連通する網状に形成されていることを特徴とする請求項２記載の男性小便用便器。
【請求項４】
前記突出部の上面の少なくとも網状に形成された部分を含む領域が着脱可能に構成されていることを特徴とする請求項３記載の男性小便用便器。
【請求項５】
前記本体空間を画する部分と突出部空間を画する部分は、一体成型されていることを特徴とする請求項２乃至４いずれか記載の男性小便用便器。
【発明の詳細な説明】
【技術分野】
【０００１】
本発明は、公衆トイレなどにおいて利用されている男性小便用便器に関する。
【背景技術】
【０００２】
従来から公衆トイレなどにおいて、男性小便用便器が利用されており、男性小便用便器は、前面側に開口を有する箱状に形成され、その箱状内の空間の底面には、放尿された尿及び洗浄液を排水可能な排水口が設けられている。
【０００３】
このような男性小便用便器は、放尿の開始時又は終了時に利用者が尿を床に垂らしてしまうという問題がある。このような問題を解決するものとして、例えば、床面にマットを敷くなどが行われている（特許文献１）。
【０００４】
【特許文献１】特開２００２−１６５７２９号公報
【発明の開示】
【発明が解決しようとする課題】
【０００５】
しかしながら、このように床面にマットを敷いた場合、垂れた尿が付着するため、不潔な印象を与えてしまう。そのため、マットを頻繁に取り替えなければならない。そこで、本発明は、メンテナンスが容易で清潔感を与えることが可能な男性小便用便器を提供することを目的とする。
【課題を解決するための手段】
【０００６】
以上の目的を達成するため、本発明は、少なくとも前面側に開口を有する箱状に形成され、その箱状内の本体空間の底面に放尿された尿及び洗浄液を排水可能な排水口が設けられた男性小便用便器において、該男性用便器の底面部に利用者の立ち位置まで突出する突出部が形成され、前記利用者の放尿時に前記突出部に垂れた尿の少なくとも一部が前記排水口に誘導されるよう構成されていることを特徴とする。
【０００７】
以上のように本発明に係る男性小便用便器は、利用者の放尿時に突出部に垂れた尿の少なくとも一部が排水口まで誘導されるので、不潔感を与えることはない。
【０００８】
本発明に係る男性小便用便器において、前記突出部は、前記本体空間に連通する突出部空間を有する箱状に形成されていることが好ましく、この場合、前記突出部は、上面の少なくとも利用者の尿が垂れる可能性がある領域が前記突出部空間に連通する網状に形成されていることが好ましい。さらにこの場合、前記突出部の上面の少なくとも網状に形成された部分を含む領域が着脱可能に構成されていることが好ましく、このように網状に形成された部分を含む領域を着脱可能に構成することによって、網状に形成された領域を取り外して容易に洗浄することができる。
【０００９】
また、本発明に係る男性小便用便器において、前記本体空間を画する部分と突出部空間を画する部分は、一体成型されていることが好ましく、このように一体成型することによって、既存の公衆トイレの男性小便用便器と本発明に係る男性小便用便器を取り替えるだけで、本発明に係る男性小便用便器を設置することができ、大規模な工事などを施す必要はない。
【発明の効果】
【００１０】
以上のように、本発明によれば、メンテナンスが容易で清潔感を与えることが可能な男性小便用便器を提供することができる。
【発明を実施するための最良の形態】
【００１１】
次に、本発明に係る男性小便用便器の実施例について図面に基づいて説明する。図１は、本実施例に係る男性小便用便器の斜視図であり、図２は、その右側面断面図である。本実施例に係る男性小便用便器は、前面側に本体開口１０を有する箱状に形成されており、その箱状内の本体空間１２の底面１２Ａには、本体開口１０から箱内の本体空間１２に放尿された尿及び洗浄液を排水可能な排水口１４が形成されている。
【００１２】
本実施例に係る男性小便用便器の底面部には、利用者の立ち位置まで突出する突出部１６が形成されており、突出部１６は、上面側に突出部開口１８を有する箱状に形成されている。突出部１６の突出部開口１８の縁１８Ａは、本体開口１０の縁１０Ａと連続して形成されており、また、突出部１６の箱状内の突出部空間２０は、空間１８に連続して形成されている。本実施例に係る男性小便用便器において、突出部１６は、略円柱状に形成されており、突出部開口１８の縁１８Ａの内側には、段差２２が形成されている。この段差２０には、突出部１６の突出部開口１８の縁１８Ａに沿った形状の網部材２４が着脱可能な状態で載置されている。
【００１３】
底面１２Ａや突出部空間２０の底面２０Ａは、いずれもそれらに至った尿及び洗浄液などが排水口２４に流れるように傾斜を有する。本実施例に係る男性小便用便器は、突出部１６も含めて全体として陶器によって一体成型されている。
【００１４】
本実施例に係る男性小便用便器においては、網部材２４の全域を網状に形成したが、利用者の尿が垂れる可能性がある領域が網状に形成されてあれば良い。
【図面の簡単な説明】
【００１５】
【図１】本発明に係る男性小便用便器の実施例の斜視図である。
【図２】本実施例に係る男性小便用便器の右側面断面図である。
【符号の説明】
【００１６】
本体開口      １０
本体空間      １２
排水口        １４
突出部        １６
突出部空間    ２０
網部材        ２４
【図１】
2009174149.tif 000003
【図２】
2009174149.tif 000004
(57)【要約】【課題】蒸気発生缶への給水用装置の簡素化及び、圧力低下等の問題解決のための装置部品の開発。【解決手段】本トラップを組み込み、給水装置を装置する。【選択図】図２
2009174838.tif 000002
【特許請求の範囲】
【請求項１】
高圧蒸気発生容器内に機械的ではない方式での給水具を発明した。筒内加工減圧工パイプ仕切板熔接多段仕切防圧トラップ。
【発明の詳細な説明】
【技術分野】
【０００１】本発明は、蒸気発生缶内に給水の際、蒸気の発生と圧力の低下がおこるのを防ぐ為の給水装置に使用する。【０００２】一般的に給水装置は、蒸気缶内の圧力に対応する、加圧給水の為のポンプと、駆動装置が必要であるが、給水に因って缶内温度、圧力、低下の弊害が生ずる。【０００３】水温低下による蒸気発生の低下、圧力の低下等の問題が発生する【０００４】問題解消の為、一時に大量の給水をせず、蒸発量に適応した給水で水温の低下や、圧力の低下を防ぐ。【０００５】常時給水のために、本器具を考案したものである、円筒内を数段に仕切り、各仕切り隔て板を貫通して、片端部を細く加工した減圧用パイプを溶接する。
【発明の開示】
【発明が解決しようとする課題】
【０００６】給水装置の簡素化と水量調整の簡弁化である。
【課題を解決する為の手段】
本器具を使用した給水装置を設置する。
【発明の効果】
【０００７】本発明の給水装置への組み込みで、蒸気発生低下も圧力低下もさけられる。
【図面の簡単な説明】
【０００８】
【図１】トラップ横姿図
【図２】トラップ透視断面図
【図３】仕切り減圧隔板詳細図
【図４】端部加工パイプ図
【図１】
2009174838.tif 000003
【図２】
2009174838.tif 000004
【図３】
2009174838.tif 000005
【図４】
2009174838.tif 000006
(57)【要約】【課題】既存の建物には手を加えず現状住居スペースを保ったまま、多目的に使えるスペースを作る、外部も住宅密集地での設置も考え小スペースで設置出来る様な形状とする【解決手段】窓部分を利用して、屋外側に床、かべ、屋根パネルを使い空間を作り、窓としての機能、通風  採光の出来るスペースとした、壁パネルを厚い木材で製作し内外壁を兼ねた一体構造により壁厚みを最小限に出来る、外観もすっきりした圧迫感の無いアール型の形状の為、小スペースでも設置が可能【選択図】図１
2009174284.tif 000002
【特許請求の範囲】
【請求項１】
既存建物の窓部分を利用して多目的に使える空間を作る設備ユニット
【請求項２】
設備ユニット設置後も窓は開閉できる方式
【請求項３】
工場内でユニット製作した床、かべ、屋根各パネルを現地で組み立てる方式
【請求項４】
屋根部分を採光、通風のために開閉できる天窓とした方式
【請求項５】
壁部分だけの設置による浴室、トイレ等の窓格子としての利用方法
【請求項６】
アール型形状の内外一体の壁構造
【発明の詳細な説明】
【技術分野】
【０００１】既存建物の限られたスペースを有効利用する為に窓部分に多目的な空間を作れる設備ユニット。
【発明の開示】
【発明が解決しようとする課題】
【０００２】居室内の決められた空間に新しく備品を設置する時、今まで通りの居住スペースを確保するには建物を増改築しますがその工事自体に多大な時間、費用が係るまた、賃貸物件では増改築は契約上出来ない事が多い、既存の建物にはなるべく手を加えずに居住スペースを狭くせずストーブ、収納庫、パソコン机等の備品を組み入れることが出来る空間を作ること  住宅密集地において浴室，トイレなどの窓を開けた状態で使用できる用にすること。
外部も住宅密集地での設置も考え小スペースで設置出来る様な形状とする
【課題を解決するための手段】
【０００３】窓部分は内装の壁、床から窓枠によって隔離されている部分なので増設工事による補修作業がほとんど必要ないため  既存窓部分を利用して、屋外側に多目的に使える空間を確保する  また、壁パネルにより目隠し効果もあり、窓としての機能  通風、採光を屋根部分より取り込む事が出来るものとした、形状も小スペースでも設置出来るようにアール型の形状とする
【発明の効果】
【０００４】工場で大部分を加工してユニット化した床、壁、屋根各パネルを現地で組み立てる方式により費用、時間の短縮になる  窓枠で区切られている部分に取り付けするので新旧壁の違和感がない既存  壁、床、は補修の必要がない、  取り付け取り外しが出来るのでストーブなどの季節によって使う物は必要の無い季節は取り外せる  住宅密集地の浴室  トイレで窓を全開にした状況でプライバシーが保たれる。
壁パネルを厚い木材で製作し内外壁を兼ねた一体構造により壁厚みを最小限に出来る、外観もすっきりした圧迫感の無いアール型の形状の為、小スペースでも設置が可能
【実施例】
【０００５】［図１］［参考写真３］既存窓１に工場にてユニット製作した床パネル２  を乗せる
［図１］［参考写真３］床パネルに取り付け済みの束足３  のアジャストボルト４を調整して床パネルを水平にする、この時以後掛かる重量を全て床パネル束足に任せる為サッシ枠より若干上げて調節するサッシ枠に加重させない為
［図１］床パネル外周立ち上がり部分５  に壁パネル６  の欠き込み溝部分７  をはめ込組み上げる、組み立てた壁パネルの上に屋根パネル８  を取り付けます、
［参考写真３］本実施例は薪ストーブを設置する為、壁内側に不燃材を燃焼の恐れのある部分に張りその上に２０ミリのスペーサーを取り付け耐熱板を取り付けます、
本ユニットを耐火構造にする事により建築基準上制約を受ける設備器具も設置可能です、
［図２］［参考写真１］壁パネル２  を厚い木材で製作し内外壁を兼ねた一体構造により壁厚みを最小限に出来、外観もすっきりした圧迫感の無いアール型の形状の為、小スペースでも設置が可能です。
【図面の簡単な説明】
【０００６】
【図１】ユニット立面図
【図２】ユニット３面図
【参考写真１】
薪ストーブ実施例参考写真１
【参考写真２】
薪ストーブ実施例参考写真２
【参考写真３】
薪ストーブ実施例参考写真３
【符号の説明】
【０００７】１既存窓
２床パネル
３束足
４アジャストボルト
５床パネル立ち上がり
６壁パネル
７壁パネル切込み溝
８屋根パネル
９屋根取り付け金具
【図１】
2009174284.tif 000003
【図２】
2009174284.tif 000004
2009174284.tif 000005
2009174284.tif 000006
2009174284.tif 000007